(57)【要約】      （修正有）【課題】遠心機のロータに設けられた運転実績データを再生補正して、磁気記録媒体に正しい運転実績データを再記録することのできる遠心機を提供する。【解決手段】制御装置８は、磁気ヘッド１０に入力する運転実績データの入力信号（理想値）Ｓｉを、ロータ３の回転センサ７から入力される回転検出信号に同期して生成し、データ入力信号Ｓｉに基づいて記憶したデータを、磁気ヘッドを介して回転検出信号に同期して再生させ、再生データと理想値Ｓｉのずれ量を補正して磁気記録媒体９に再度記録することによってデータ補正を行う。【選択図】図３
2009240886.tif 000002
【特許請求の範囲】
【請求項１】
試料を保持した状態でモータによって回転駆動され、かつデータを記録する磁気記録媒体を有するロータと、前記磁気記録媒体のデータを再生または前記磁気記録媒体にデータを記録させるために、前記磁気記録媒体に近接した位置に配設される磁気ヘッドと、前記ロータの回転速度を検出するための回転センサと、前記回転センサの回転検出信号に基づいて前記モータの回転を制御し、かつ前記磁気記録媒体に対しデータの再生またはデータの記録を行うように前記磁気ヘッドを制御する制御装置と、を具備する遠心機において、前記制御装置は、前記データの記録を行うために前記磁気ヘッドに入力するデータ入力信号を、前記回転センサから入力される前記回転検出信号に同期して生成することを特徴とする遠心機。
【請求項２】
前記データ入力信号は、ビット信号を複数のパルス幅でＭＦＭ変調した２値化信号であることを特徴とする請求項１に記載された遠心機。
【請求項３】
前記制御装置は、前記データ入力信号を記録するメモリ部を有し、前記磁気記録媒体に記録された前記データ入力信号を、前記磁気ヘッドを介して再生し、該再生出力信号と前記データ入力信号から補正データを算出し、該補正データと前記データ入力信号に基づいて補正したデータ入力信号を生成し、該補正データ入力信号を、前記磁気ヘッドを介して前記磁気記録媒体に再記録させることを特徴とする請求項１または請求項２に記載された遠心機。
【請求項４】
前記制御装置は、前記データ入力信号から算出した前記補正データが許容範囲外であると判別した場合、遠心機の故障と判別することを特徴とする請求項３に記載された遠心機。
【請求項５】
前記磁気記録媒体に記録されるデータは、前記ロータの寿命を判断するための運転実績データであることを特徴とする請求項１乃至請求項４のいずれか一つに記載された遠心機。
【発明の詳細な説明】
【技術分野】
【０００１】
本発明は、ロータの運転実績管理が可能な遠心機に関し、特に、ロータの積算運転回数または積算運転時間等の運転実績データを保持できる磁気記録媒体をロータに備える遠心機に関する。
【背景技術】
【０００２】
細胞や遺伝子等の試料を収納する遠心機のロータ（回転体）は、高い遠心加速度を必要とするため、例えば１００，０００ｍｉｎ−１（ｒｐｍ）の高速で回転させる必要がある。このため、ロータに働く遠心応力が高くなるので、繰り返し使用すると、チタン合金やジェラルミン等から成るロータ材料に疲労破壊が生ずる恐れがある。このため、ロータは、有限の寿命を持つものとして取り扱われ、積算運転回数または積算運転時間（例えば５，０００回または１０，０００時間）が規定されている。ロータが所定の運転回転数または運転時間に達したとき、疲労限界としてその時点で使用を中止し、廃棄することにしている。従って、ロータには寿命があり、ロータを安全に運転させるためには、ロータの運転実績を管理する必要がある。一般に、遠心機本体は各種のロータを着脱可能に装着できるように構成されているので、運転実績は各種のロータ毎に管理することが必要である。
【０００３】
従来のロータの運転実績管理方法としては、下記特許文献１に示されるように、ロータに磁性皮膜を備えた磁気記録媒体を設け、磁気ヘッドでデータの記録および再生を行い、ロータに運転実績管理を記録させる方法が提案されている。
【０００４】
かかる従来の遠心機は、遠心分離する試料を収納するロータと、ロータを回転させる駆動モータと、ロータの運転実績データを磁気記録媒体に記録させ、またはその磁気記録媒体から再生させる磁気ヘッドと、ロータの回転速度を測定する回転センサと、これら駆動モータ、磁気ヘッド等を制御する制御装置（コントローラ）と、を具備し、ロータの底部には、表面に磁性皮膜が被着された円筒形の磁気記録媒体が一体化されている。データ記録時には、制御装置に一時的に記憶された、ロータの型式、製造番号、積算運転回数、積算運転時間等の運転実績を示すデジタル情報を、該磁性皮膜に近接して配置される磁気ヘッドを介して、磁性皮膜の円筒外周面に規則的な間隔でＳＮ極に磁化し、データの配列を記録する。また、データ再生時には、該磁性皮膜に近接して配置される磁気ヘッドを介して、規則的な間隔に配列された磁性皮膜の記録情報を制御装置へ読み取ることで、ロータの運転実績を示すデジタル情報を再生することができる。
【０００５】
この場合、磁気ヘッドには狭いギャップを有した磁気コアが設けられ、該コアには制御装置に接続されたコイルが巻かれている。実績デジタル情報の記録時には、ロータを回転させた状態で、制御装置よりコイルに電流を流すことで、ギャップから磁界を発生させ、実績デジタル情報に従って規定された磁極によって磁性皮膜を磁化させる。また、データ再生時には、前記データ記録時と同じ回転速度に保ってロータを回転させることによって、前記磁性皮膜から発せられる磁束を磁気ヘッドで受けて、電磁誘導により起電力を発生させて制御装置により電気信号に変換するものである。また、実績デジタル情報の磁性皮膜への記録は、下記特許文献２に示されるように、２進数のデジタル情報を、一旦、ＭＦＭ変調方式の２値化信号に変換し、パルス幅の異なる複数種のパルス信号によって磁気ヘッドを駆動して記録するものである。
【０００６】
【特許文献１】特開平３−１８１３４７号公報
【特許文献２】特開２００１−１０４８３４号公報
【発明の開示】
【発明が解決しようとする課題】
【０００７】
上述した従来の遠心機では、磁気記録媒体がロータに設けられており、かつロータと共に高速で回転するため磁気記録媒体は高速回転に耐えうる強度が必要である。このため、磁気記録媒体はカセットテープのような柔軟性がなく、データの記録および再生時において磁気ヘッドを磁気記録媒体に接触させることができないため、両者の間にある程度の間隙（エアギャップ）を設ける必要がある。このため、次のような問題点が生ずることが分かった。
【０００８】
磁気ヘッドと磁気記録媒体間に設けられた間隙によって磁気ヘッドからの書込磁界が弱くなるため、磁気記録媒体に磁気ヘッドを介して更新データを書換える場合、予め磁性皮膜に記録されている磁束の向きの影響により磁極の間隔にずれが生じる場合がある。このため、記録の前に、磁性皮膜の磁束の向きを一方向にそろえてデータを消去してから、データを記録する必要がある。また、磁気記録媒体の磁性皮膜は、メッキ、蒸着等の被着技術により形成されるが、母材のわずかな傷による凹みや被着技術の条件（例えば、メッキ液のｐＨ）により、磁気皮膜の厚さにばらつきがでて、磁極を反転させるために必要な磁界の大きさである保磁力にばらつきが生じる場合がある。
【０００９】
従って、磁性皮膜の保磁力にばらつきがあり、かつ磁気ヘッドと磁性皮膜の間に間隙を設けた状態でデータを記録する場合、磁気ヘッドから発せられる磁界の強さが不十分になる場合があるため、磁性皮膜を十分に所定の磁極に磁化できず、保磁力のばらつきが磁極間隔のずれとなり、データを正しく記録することができず、正確で安定したデジタル情報の復調ができないという問題を生ずる。
【００１０】
上記問題を解決するため、磁性皮膜の厚さのばらつきを少なくする磁気記録媒体の製造技術も考えられるが、磁気記録媒体の母材に生じるわずかな傷のチェックや、メッキ液のｐＨや温度等の被着技術の条件を精密に管理する必要があり、製造設備および製造管理の費用が高価になるという課題を生ずる。
【００１１】
さらに、データ記録時において、磁性皮膜に入力データを書込みした後にデータを直ちに再生させて、該再生データを理想データ（入力データ）と比較し、理想データ値とのずれ分（再生誤差）を補正して再度記録させる方法があるが、一度、最初の再生データを消去させてしまうため、磁性皮膜上のずれた位置（欠陥位置）を特定することができないので、補正記録ができないという問題を生ずる。
【００１２】
従って、本発明の目的は、上記問題点を解消し、ロータに装着された磁気記録媒体に、磁気ヘッドを介して正確に運転実績データを記録または再生することが可能な制御手段を有する遠心機を提供することにある。
【００１３】
本発明の他の目的は、ロータの積算運転回数または積算運転時間等の運転実績データを記憶できる安価な遠心機を提供することにある。
【課題を解決するための手段】
【００１４】
上記課題を解決するために、本願において開示される発明のうち、代表的なものの特徴を説明すれば、次のとおりである。
【００１５】
本発明の一つの特徴によれば、試料を保持した状態でモータによって回転駆動され、かつデータを記録する磁気記録媒体を有するロータと、前記磁気記録媒体のデータを再生または前記磁気記録媒体にデータを記録させるために、前記磁気記録媒体に近接した位置に配設される磁気ヘッドと、前記ロータの回転速度を検出するための回転センサと、前記回転センサの回転検出信号に基づいて前記モータの回転を制御し、かつ前記磁気記録媒体に対しデータの再生またはデータの記録を行うように前記磁気ヘッドを制御する制御装置と、を具備する遠心機において、前記制御装置は、前記データの記録を行うために前記磁気ヘッドに入力するデータ入力信号を、前記回転センサから入力される前記回転検出信号に同期して生成するように構成する。
【００１６】
本発明の他の特徴によれば、前記データ入力信号は、ビット信号を複数のパルス幅でＭＦＭ変調した２値化信号である。
【００１７】
本発明のさらに他の特徴によれば、前記制御装置は、前記データ入力信号を記録するメモリ部を有し、前記磁気記録媒体に記録された前記データ入力信号を、前記磁気ヘッドを介して再生し、該再生出力信号と前記データ入力信号から補正データを算出し、該補正データと前記データ入力信号に基づいて補正したデータ入力信号を生成し、該補正データ入力信号を、前記磁気ヘッドを介して前記磁気記録媒体に再記録させるように構成する。
【００１８】
本発明のさらに他の特徴によれば、前記制御装置は、前記データ入力信号から算出した前記補正データが許容範囲外であると判別した場合、遠心機の故障と判別するように構成する。
【００１９】
本発明のさらに他の特徴によれば、前記磁気記録媒体に記録されるデータは、前記ロータの寿命を判断するための運転実績データである。
【発明の効果】
【００２０】
上記本発明によれば、制御装置は、運転実績データの記録を行うために前記磁気ヘッドに入力するデータ入力信号を、前記回転センサから入力される前記回転検出信号に同期して生成するので、磁気記録媒体の磁極の間隔がずれた位置を常に特定することができ、データ入力信号（理想値）とのずれ分を補正した補正入力信号で、磁気ヘッドを介して、再度記録させることによって、正確なデータ再生（データ復調）が可能となる。
【００２１】
本発明によれば、制御装置の制御フローの比較的簡単な変更によりロータの運転実績データを正確に記録できるので、安価な遠心機を提供することができる。
【００２２】
本発明の上記および他の目的、ならびに上記および他の特徴および利点は、以下の本明細書の記述および添付図面からさらに明らかにされる。
【発明を実施するための最良の形態】
【００２３】
以下、本発明の実施形態に係る遠心機について図面を参照して説明する。なお、実施形態を説明するための全図において、同一の機能を有する部材には同一の符号を付し、その繰り返しの説明を省略する場合がある。
【００２４】
図１は本発明の実施形態に係る遠心機の全体の構造を示す構成図（断面図）、図２は図１に示した磁気記録媒体と磁気ヘッドの関係を示す拡大構造図、図３は図１に示した遠心機の機能ブロック図をそれぞれ示す。
【００２５】
最初に遠心機の全体の構成について説明する。図１に示すように、遠心機１は、上面から見た断面形状が略四角形を有する筐体（フレーム）２を備え、筐体２の内部には、チューブ等の試料容器（図示なし）を保持するためのチタン合金またはアルミニウム合金等から成るロータ（回転体）３と、ロータ３に回転駆動力を与えるための駆動モータ４と、底部材（プレート）５ａおよび仕切り部材５ｂによって区画されたロータ室（回転室）５とを具備し、また、筐体２内に形成されたロータ室５の上部開口部には、ノブ６ａによって開閉可能なスライド式ドア６が開閉自在に取付けられている。ドア６は、ロータ３の回転中には、後述する制御装置８（図３参照）によって開放されないようにロックされる。
【００２６】
駆動モータ４は、例えば誘導モータから構成され、ロータ３を、制御装置８によって低速回転または高速回転で駆動することができる。モータ４によって回転駆動されるロータ３の回転速度は、ロータ３の底部に近接して設けられた回転センサ７によって検出される。図３の機能ブロック図に示されるように、回転センサ７の検出値（回転信号）は制御装置（コントローラ）８に入力され、制御部８ｅはその検出値と設定値とを比較、演算しながら駆動部８ｆに３相交流電源（例えば、５Ｈｚ〜２．６ｋＨｚ）を生成してモータ４の回転速度を制御する。また、回転センサ７の回転信号は、後述するように、本発明に従って運転実績データの入力信号（パルス信号）に対する同期信号としても使用される。
【００２７】
図２に示されるように、ロータ３の底部には、円筒形の磁気記録媒体９が設けられている。円筒形の磁気記録媒体９は、円筒状のアルミニウム基板９ａの上にメッキ、蒸着等の被膜技術によって形成された磁性皮膜（磁性メモリ薄膜）９ｂと、その上に形成されたコーティング膜（保護膜）９ｃと、を含む。磁気記録媒体９に運転実績データを書込または読出するための磁気ヘッド１０は、水平方向Ｘに前進および後退可能な移動部材１０ａに固定されており、書込時（記録時）または読出時（再生時）において、後述する制御装置８からの指令によって、磁気記録媒体９に近接してこの間に電磁誘導を起こすための適切な間隙（エアギップ）を確保する。円筒形の磁気記録媒体９と磁気ヘッド１０は一種のハードディスクメモリとして動作し、両者間の電磁誘導により、磁気記録媒体９は、その円筒状磁気皮膜９ｂの円周に沿って規則的な間隔で所定方向にＳＮ磁極が磁化されており、運転実績データを記録できる。この場合、磁性皮膜９ｂの厚さｄ１（例えば、９μｍ）は、磁気皮膜９ｂと磁気ヘッド１０の離間距離ｄ２（例えば、０．３ｍｍ）に比較して、非常に薄い厚さとなるので、アルミニウム基板（母材）９ａのわずかな傷による凹みや被着技術の条件により、磁気皮膜９ｂの厚さにばらつきが生ずる場合がある。この厚さｄ１のばらつきによって保持力（予め磁化された磁極を反転させるために必要な磁界の大きさ）にばらつきを生じ、書込みまたは読出しに誤差を生じる場合がある。本発明に従えば、そのような問題が解消される。
【００２８】
図３に示されるように、磁気記録媒体９は、磁気ヘッド１０を介して、制御装置８に結合される。制御装置８は、演算部８ａ、メモリ部８ｂ、表示部８ｃおよびタイマ部８ｄを具備する制御部（マイクロコンピュータ）８ｅを含み、さらに、駆動モータ４のインバータ駆動回路を含む駆動部８ｆと、磁気ヘッド１０に運転実績データの書込信号（入力信号）Ｓｉを出力するための書込部８ｈと、磁気ヘッド１０からの運転実績データの読出信号（再生信号）Ｓｇを制御部８ｅへ出力する読出部８ｇと、を具備する。
【００２９】
表示部８ｃは、ロータ３の回転速度や遠心分離を行う時間等の運転条件を示すデータを制御部８ｅに入力するための操作パネル、および入力された情報の表示や運転中の情報をモニタする機能を有する。
【００３０】
メモリ部８ｂは、駆動モータ４の予め定められた手順に従って処理を実行するための制御プログラムが格納されたＲＯＭメモリと、磁気記録媒体９に記録された積算運転回数、積算運転回転時間等の運転実績データを再生したものを記憶したり、さらに磁気記録媒体９に記録すべき更新運転実績データを一時的に記憶するためのＲＡＭメモリとを具備する。
【００３１】
タイマ部８ｄは、読出部８ｇから出力される再生信号（Ｓｇ）（図６参照）に基づいて再生されるパルス（Ｓｐ）間の周期（Ｔｒ）を計測する第１のタイマ、および回転センサ７から検出される回転信号（Ｓｒ）の周期を計測する第２のタイマを具備する。また、タイマ部８ｄは、回転信号（Ｓｒ）に同期してビットタイミング信号（Ｓｂ）を発生するタイミングジェネレータを含んでいる。
【００３２】
次に、遠心機１の運転動作について、図４の運転モードを示すタイムチャートを参照して説明する。時刻ｔ０で遠心機１の運転を開始すると、ロータ３が駆動モータ４により回転を始め、時刻ｔ１において、制御装置８は、駆動モータ４の回転をある一定の低速の回転速度Ｎ１（例えば、１，０００ｒｐｍ）に整定制御する。
【００３３】
時刻ｔ１〜時刻ｔ２の間において、磁気記録媒体９に記録されているこれまでの運転実績データは、磁気ヘッド１０を介して再生される。この時、磁気ヘッド１０は磁気記録媒体９に近接して配置され、円筒状磁気皮膜９ｂに規則的な間隔でＳＮ極に磁化されたこれまでの運転実績データが、磁気ヘッド１０を介して、後述するように制御装置８によって読み出され、制御装置８のメモリ部（ＲＡＭ部）８ｂに一旦記憶される。ここで、再生された運転実績データがロータ３の寿命制限値に達している場合、制御装置８は、故障または寿命であることを、表示部８ｃに報知するか、または警告アラームを発生させ、同時に、駆動モータ４の回転を停止させる。
【００３４】
一方、制御装置８は、再生のチェック機能を有し、運転実績データがメモリ部８ｂに記憶されている場合、再生された運転実績データを、メモリ部８ｂに記憶されている前回入力された記憶データと比較し、再生運転実績データが少ない数値の場合、制御装置８は故障であると判断し、故障アラームを発生して駆動モータ４の回転を停止させる。また、再生運転実績データがメモリ部８ｂの記憶データと同等である場合、またはメモリ部８ｂに記憶されているデータよりも多い数値である場合は、正常と判断し、制御装置８は再生したデータを最新運転実績データとしてメモリ部８ｂに記憶させる。ここで、メモリ部８ｂに記憶されているデータよりも再生された運転実績データが多い数値の場合でも、制御装置８はロータ３が他の遠心機で運転されている実績が加算されているものと判断し、正常と判断する。
【００３５】
時刻ｔ２〜時刻ｔ３において、制御装置８は、駆動モータ４を加速し、時刻ｔ３〜時刻ｔ４において駆動モータ４の回転速度を予め使用者が設定した回転速度（例えば、１０，０００ｒｐｍ）に整定制御する。この期間に、ロータ３に保持された試料は回転により遠心される。遠心後、制御装置８は、時刻ｔ４〜時刻ｔ５において、駆動モータ４を減速し、時刻ｔ５〜時刻ｔ６において再び回転速度Ｎ１に整定させる。
【００３６】
時刻ｔ５〜時刻ｔ６において、制御装置８から磁気ヘッド１０に運転実績データの入力信号を印加して磁界を発生させて円筒状磁気皮膜９ｂ（図２参照）に対し規則的な間隔でＳＮ極に磁化させることによって新たな運転実績データを記録させる。この場合、運転実績データは、制御装置８のメモリ部８ｂに一旦記憶された再生時の過去分データに、今回の運転実績データを積算して、磁気記録媒体９に記録する。このように、遠心機１は、ロータ３の低速度の定速回転時において、磁気記録媒体９によって、ロータ３の積算使用運転回数や積算運転回転時間等の運転実績データを記録および再生できるように構成されている。
【００３７】
本発明は、特に、運転実績データの記録時（上記時刻ｔ５〜時刻ｔ６間）の制御手段に係り、制御装置８は、磁気ヘッド１０を介して磁気記録媒体９に記憶したデータが、制御装置８で記録時に生成した真のデータ入力信号と一致して正しく記憶されたか否かをチェックし、かつ制御装置８に正しいデータが再生できない場合は、磁気ヘッド１０に補正した入力信号を印加して正しいデータ信号を記録する制御手段を有するものである。
【００３８】
以下、本発明の実施形態に係る運転実績データの記録手段につき、図５に示す制御フローチャートおよび図６に示す動作波形に係るタイムチャートに基づいて説明する。
【００３９】
図５に示すステップ１００において、ロータ３の運転実績データの最新データ（過去分と今回分を積算したデータ）を制御装置８のメモリ部（ＲＡＭ）８ｂに記憶する。本実施形態では、図６に示すように、運転実績データは、メモリ部８ｂに記憶された２進数データ（Ｂｄ）（図６（ｆ）参照）を、ＭＦＭ変調方式により複数種のパルス幅信号に変換して磁気ヘッド１０の入力信号Ｓｉ（図６（ｂ）参照）とする。この入力信号Ｓｉは、回転信号Ｓｒ（図６（ａ）参照）と同期して変換される。
【００４０】
図７は、ロータ３の寿命に関係する運転実績データの一例を示す。ロータ形式、製造番号、積算回数、および積算時間は、メモリ部８ｂに２進数データとして記憶される。この２進数データは、３つのパルス幅（タイマ値）１．０Ｔｗ、１．５Ｔｗ、および２．０ＴｗによってＭＦＭ変調方式により変換されて、磁気ヘッド１０にデータ記憶するための入力信号Ｓｉとして印加される。
【００４１】
運転実績データの変換例を図８のタイムチャートに示す。図８は、図６に示した動作波形のタイムチャートの一部を拡大して示したものである。回転信号Ｓｒ（図８（ａ）参照）が、上記回転センサ７より入力されると、制御部８ｅは、特に、本発明に従って、回転信号Ｓｒに同期したビットタイミング信号Ｓｂ（図８（ｂ）参照）を発生し、例えば、１１０１１００１０１・・・に配列された２進数データＢｄ（図８（ｃ）参照）は、ビットタイミングＳｂに同期して磁気ヘッド１０を駆動するための入力信号Ｓｉ（ＭＦＭ変調信号）（図８（ｄ）参照）に変換される。
【００４２】
ＭＦＭ変調信号Ｓｉは、上記特許文献２に開示された技術と同様に、図８（ｄ）に示すように、例えば、３つのパルス幅１．０Ｔｗ、１．５Ｔｗおよび２．０Ｔｗ（１．０Ｔｗは１ビット分のビットタイミングＳｂにおけるパルス間の周期に等しい）によって変調される。変調の仕方は、“１”のビットデータＢｄは、パルス幅Ｔｗの区切り点が反転するように変換され、また、“０”のビットデータＢｄは、パルス幅Ｔｗが反転しないように上記３つのパルス幅（１．０Ｔｗ、１．５Ｔｗ）に変換する。なお、ここで、１Ｔｗは、低速回転時の１回転の回転周期Ｔｒ（図６参照）を運転実績データのビット数で除算した値に相当する。
【００４３】
図８に示した例では、ビット情報Ｂｄ“１１０１１００１０”（図８（ｃ）参照）は、入力信号Ｓｉ“１．０Ｔｗ、２．０Ｔｗ、１．０Ｔｗ、１．５Ｔｗ、１．５Ｔｗ、および２．０Ｔｗ”（図８（ｄ）参照）に変換される。
【００４４】
図５に示すステップ１０１において、磁気記録媒体９の過去の実績データを消去する。このため、制御装置８は、磁気ヘッド１０に連続的に直流電流を流し、連続的に磁界を発生させる。これにより、磁気記憶媒体９における磁性皮膜９ｂの磁束の方向は一方向に揃えられデータは消去される。
【００４５】
ステップ１０２において、回転センサ７から制御装置８に入力される回転信号Ｓｒ（図６（ａ）参照）に同期した上記入力信号（ＭＦＭ変調パルス信号）Ｓｉは、書込部８ｈから磁気ヘッド１０に出力され、磁気記録媒体９の磁気皮膜９ｂに新しい積算運転実績データとして記録される。
【００４６】
次に、ステップ１０３において、制御装置８は、磁気ヘッド１０を介して、磁気記録媒体９の磁気皮膜９ｂに、ステップ１０２において記録した運転実績データを再生する。この再生は、磁気ヘッド１０を介して読出部８ｇにより再生信号Ｓｇ（図６（ｃ）参照）を再生する。再生信号Ｓｇは、交流電圧波形である。制御装置８の制御部８ｅは、電圧波形のゼロクロス時点を基準とする再生パルス信号Ｓｐ（図６（ｄ）参照）を発生させる。この再生パルス信号Ｓｐのパルス間隔は、正常な再生動作の場合、回転信号Ｓｒに同期して上記入力信号Ｓｉのパルス幅（１．０Ｔｗ、１．５Ｔｗ、および２．０Ｔｗ）に等しい間隔となる。この再生パルス信号Ｓｐは、制御装置８のメモリ部８ｂに一時的に記憶される。この時、上記入力信号Ｓｉも、メモリ部８ｂから消去することなく、メモリ部８ｂに記憶保持しておく。
【００４７】
ステップ１０４において、制御装置８は、図６に示すように、再生運転実績データを示す再生パルス信号Ｓｐと、入力信号（理想信号）Ｓｉとの周期のずれ量Ｗ（例えば、時刻ｔ１７におけるずれ量Ｗ）を制御部８ｅによって演算する。図８の拡大タイムチャートに示すように、ビットタイミング信号Ｓｂ、入力信号Ｓｉおよび再生パルス信号Ｓｐは、共に回転信号Ｓｒに同期して発生するので、制御部８ｅは、入力信号Ｓｉと再生パルス信号Ｓｐのずれ量Ｗを検出することができる。図６および図８に示した例では、回転信号Ｓｒが入力された時点から時間Ｔｅを経過した時刻ｔ１７において、入力信号（理想信号）Ｓｉに対して再生パルス信号Ｓｐのパルス幅（区切り点）がずれ量Ｗをもつ例が示されている。
【００４８】
次に、ステップ１０５において、ステップ１０４で算出したずれ量Ｗが許容範囲内にあるか否か判定する。ずれ量Ｗの許容範囲は、例えば、０．５Ｔｗ未満に設定される。図８の（ｂ）に示されるように、入力信号（理想信号）Ｓｉの０．５Ｔｗ以内のずれ量で有れば、時刻ｔ１７において再生される２進数データは、データ“１”を復調することができるので、許容範囲内と判定することができる。逆に、ずれ量Ｗが入力信号Ｓｉのパルス幅０．５Ｔｗより大きくずれている場合は、所期の入力信号データに対して逆転したデータが再生される場合もある。
【００４９】
ステップ１０５でずれ量Ｗが許容範囲（例えば、０．５Ｔｗ）より大きく、再生データに誤差を与えるような大きなずれ量と判断された場合、ステップ１０６に進み、大きなずれ量と判断された場合が何回判別されるか、ＮＧの回数をカウントする。
【００５０】
次にステップ１０７にて、ＮＧ回数が規定回数（例えば、５回）以下であるか判定する。規定回数以下の場合は、ステップ１０８にて運転実績データを再消去する。続いてステップ１０９にて、最初の入力信号（理想データ）Ｓｉ（図６（ｂ）または図８（ｄ）参照）に対してずれ量Ｗを補正した、図６（ｈ）または図８（ｆ）に示す入力電圧Ｓｉａで再記録する。このとき、再記録のタイミングは、ステップ１０２と同様に、回転センサ７から制御装置８に入力される回転信号Ｓｒと同期している。再記録後は、ステップ１０３にて再び最初の入力信号（理想信号）Ｓｉと周期の比較を行う。この場合、図６（ｈ）に示すように、入力信号Ｓｉａは予め補正されたパルス幅となっているので、補正した入力信号Ｓｉａに基づいて記憶された磁性皮膜９ｂに記憶されたデータを、再度、磁気ヘッド１０を介して再生すると、読出部８ｇで出力される再生信号Ｓｇ（図６（ｉ）参照）は、所定の交流電圧波形となり、再生パルス信号Ｓｐ（図６（ｊ）参照）のずれ量が補正される。すなわち、再生パルス信号Ｓｐ（図６（ｊ）参照）は、所定のパルス間隔を持つように補正される。
【００５１】
ステップ１０７において、ＮＧ回数が規定回数を超える場合は、制御装置８は、故障しているものと判断し、ステップ１１０に進み、故障の表示またはアラームを行い、駆動モータ４の回転を停止させて遠心機１の運転を終了する。
【００５２】
また、ステップ１０５においてずれ量Ｗが許容範囲内であると判断された場合、運転実績データは正しく記録され、かつ再生されたものと判断できるので、ステップ１１１に進み、ロータ３が寿命であるか否かを判定する。ロータ３が寿命に達していると判定された場合は、制御装置８は、ステップ１１２に進み、寿命表示または寿命アラームを発生させて駆動モータ４の回転を停止し、遠心機１の運転を終了する。ステップ１１１で再生実績データが寿命に満たないと判断された場合は、制御装置８は、駆動モータ４の回転を停止させ、遠心機１の運転を正常に終了させる。
【００５３】
以上の実施形態の説明から明らかにされるように、本発明によれば、ロータに装着された磁気記録媒体に運転実績データを更新する場合、磁気ヘッドを介して再生された更新データが、記録したときの入力データ（理想値）との間にずれ量が生じても、再生データは、ロータの回転信号（パルス信号）の周期に同期しているので、該再生データを容易に補正することができる。その結果、補正入力データによって再記録を行えば、ずれ量を解消し、運転実績データを正確に記録できる。また、磁気記録媒体のデータが異常値と判定された場合、ロータまたは遠心機本体の故障または寿命として判別できるので、安全な運転実績管理が可能である。さらに、運転実績データを記録するための制御装置は、制御フローを部分的に変更することで構成することができるので、遠心機の製造コストを低減することができる。
【００５４】
以上、本発明者によってなされた発明を実施形態に基づき説明したが、本発明は上記実施形態に限定されるものではなく、その要旨を逸脱しない範囲内で種々の変更が可能である。例えば、上記実施形態では、ずれ量Ｗの判定をＭＦＭ変調信号のパルス幅（０．５Ｔｗ）を基準にして判定したが、図８の（ｂ）に示されるように、ビットタイミング信号（弁別信号）Ｓｂのパルス幅Ｗｐを基準にしてもよい。また、磁気ヘッドを駆動する２値化信号は、ＭＦＭ変調方式以外の他の方式で変調してもよく、さらに、データ数（ビット数）が小さい場合は、ＭＦＭ変調を行うことなく、ビットデータ信号で直接入力してもよい。
【図面の簡単な説明】
【００５５】
【図１】本発明の実施形態に係る遠心機全体の構成図。
【図２】図１に示した遠心機について部分的に拡大した構成図。
【図３】図１に示した遠心機の機能ブロック図。
【図４】図１に示した遠心機の運転モードを示すタイムチャート。
【図５】図３に示した遠心機の制御装置の制御手順を示す制御フローチャート。
【図６】図３に示した遠心機における記録信号および再生信号に係るタイムチャート。
【図７】図３に示した遠心機における運転実績データ例を示す表。
【図８】図６に示したタイムチャートを部分的に拡大したタイムチャート。
【符号の説明】
【００５６】
１：遠心機      ２：筐体（フレーム）      ３：ロータ      ４：駆動モータ
５：ロータ室      ５ａ：底部材（プレート）      ５ｂ：仕切り部材      ６：ドア
６ａ：ドアのノブ      ７：回転センサ      ８：制御装置（コントローラ）
８ａ：演算部      ８ｂ：メモリ部      ８ｃ：表示部      ８ｄ：タイマ部
８ｅ：制御部      ８ｆ：駆動部      ８ｇ：読出部      ８ｈ：書込部
９：磁気記録媒体      ９ａ：アルミニウム基板      ９ｂ：磁気皮膜
９ｃ：コーティング膜（保護膜）      １０：磁気ヘッド      １０ａ：移動部材
【図１】
2009240886.tif 000003
【図２】
2009240886.tif 000004
【図３】
2009240886.tif 000005
【図４】
2009240886.tif 000006
【図５】
2009240886.tif 000007
【図６】
2009240886.tif 000008
【図７】
2009240886.tif 000009
【図８】
2009240886.tif 000010